(57)【特許請求の範囲】
【請求項１】
洗濯機本体と、前記洗濯機本体内に揺動自在に防振支持される水槽と、前記水槽内に回転自在に支持され、衣類を収容する洗濯槽と、前記洗濯槽を回転駆動するモータと、前記洗濯機本体に設けられ入力設定手段と表示手段を有する操作表示パネルと、日付・時刻を計時する時計と、運転の設定内容、設定した日付・時刻などのデータを記憶する記憶手段と、前記入力設定手段の設定に基づいて前記モータを制御する制御手段とを備え、前記制御手段は、あらかじめ設定された特定日に、前記入力設定手段で設定したコースを運転した後に引き続き、前記洗濯槽と前記水槽の洗浄を行う槽洗浄コースを運転するか、または、前記表示手段に設けられた前記槽洗浄コースの表示を点滅させて報知する洗濯機。
【請求項２】
制御手段は、洗濯槽と水槽の洗浄を行うコースを運転した日付から所定期間が経過している場合には、入力設定手段で設定したコースを運転した後に引き続き、前記洗濯槽と前記水槽の洗浄を行う前記槽洗浄コースを運転するか、または、表示手段に設けられた前記槽洗浄コースの表示を点滅させて報知する請求項１に記載の洗濯機。
【請求項３】
制御手段は、前記入力設定手段で設定したコースを運転する日付が、前記洗濯槽と前記水槽の洗浄を行うコース運転に予め設定した日付の場合には、入力設定手段で設定したコースを運転した後に引き続き、前記洗濯槽と前記水槽の洗浄を行う前記槽洗浄コースを運転するか、または、表示手段に設けられた前記槽洗浄コースの表示を点滅させて報知する請求項１または２に記載の洗濯機。
【請求項４】
洗濯機本体と、前記洗濯機本体内に揺動自在に防振支持される水槽と、前記水槽内に回転自在に支持され、衣類を収容する洗濯槽と、前記洗濯槽を回転駆動するモータと、空気を加熱する加熱手段と、前記加熱手段で加熱した空気を前記水槽内に供給する送風経路と、前記送風経路に送風する送風ファンと、前記洗濯機本体前部に設けられ入力設定手段と表示手段を有する操作表示パネルと、日付・時刻を計時する時計と、運転の設定内容、設定した日付・時刻などのデータを記憶する記憶手段と、前記入力設定手段の設定に基づいて前記モータを制御する制御手段とを備え、前記制御手段は、あらかじめ設定された特定日に、前記入力設定手段で設定したコースを運転した後に引き続き、前記洗濯槽と前記水槽の乾燥を行う槽乾燥コースを運転するか、または、前記表示手段に設けられた前記槽乾燥
コースの表示を点滅させて報知する洗濯乾燥機。
【請求項５】
制御手段は、洗濯槽と水槽の乾燥を行うコースを運転した日付から所定期間が経過している場合には、入力設定手段で設定したコースを運転した後に引き続き、前記洗濯槽と前記水槽の乾燥を行う前記槽乾燥コースを運転するか、または、表示手段に設けられた前記槽乾燥コースの表示を点滅させて報知する請求項４に記載の洗濯乾燥機。
【請求項６】
制御手段は、前記入力設定手段で設定したコースを運転する当日の日付が、洗濯槽と水槽の乾燥を行うコース運転に予め設定した日付の場合には、入力設定手段で設定したコースを運転した後に引き続き、前記洗濯槽と前記水槽の乾燥を行う前記槽乾燥コースを運転するか、または、表示手段に設けられた前記槽乾燥コースの表示を点滅させて報知する請求項４または５に記載の洗濯乾燥機。
【発明の詳細な説明】
【技術分野】
【０００１】
本発明は、洗濯槽を洗浄する機能と、洗濯槽を乾燥する機能を有する洗濯機および洗濯乾燥機に関するものである。
【背景技術】
【０００２】
従来、洗濯乾燥機では、槽を洗浄、乾燥させてカビの発生を抑制して、防菌、防カビを行なう構成が提案されてきた（例えば、特許文献１参照）。
【０００３】
図７は、特許文献１に記載された洗濯乾燥機の操作パネルの正面図、図８は、同洗濯乾燥機の槽洗浄コースの行程内容図である。
【０００４】
図７、図８において、操作パネル５３は、電源入りスイッチ５４、電源切りスイッチ５５を有するとともに、「槽洗浄」コース選択スイッチ６４、「乾燥」時間選択スイッチ６５、「槽乾燥コース」選択スイッチ６６などの各種スイッチ類を有し、また、それらの選択又は設定の内容や有無を表示する表示部６７〜７５を有している。
【０００５】
操作パネル５３において、「槽洗浄」コース選択スイッチ６４が操作されると、制御装置（図示せず）は「槽洗浄」コースを実行する。この「槽洗浄」コースは、給水、つけ置き、洗い、残水脱水、排水、脱水、給水、すすぎ、残水脱水、排水、そして槽乾燥の順に実行される。
【０００６】
槽乾燥行程は、外槽（図示せず）から排水した後、内槽（図示せず）を低速回転させつつ、温風供給装置（図示せず）を作動させる。温風供給装置を作動させると、温風が、槽内に供給され、付着して残った水分を蒸発させて、槽内を乾燥させる。
【先行技術文献】
【特許文献】
【０００７】
【特許文献１】特開２００４−４９２５４号公報
【発明の概要】
【発明が解決しようとする課題】
【０００８】
しかしながら、前記従来の構成では、使用者は、どのようなタイミング、頻度により槽内の洗浄、乾燥を行えば、効率的に防菌、防カビが可能になるかの判断がつかず、効果的な槽洗浄、槽乾燥が行なえないという課題があった。
【０００９】
本発明は、前記従来の課題を解決するもので、効果的に槽洗浄、槽乾燥を行ない、槽内の防菌、防カビを行なえる洗濯機及び洗濯乾燥機を提供することを目的とする。
【課題を解決するための手段】
【００１０】
前記従来の課題を解決するために、本発明の洗濯機は、洗濯機本体と、前記洗濯機本体内に揺動自在に防振支持される水槽と、前記水槽内に回転自在に支持され、衣類を収容する洗濯槽と、前記洗濯槽を回転駆動するモータと、前記洗濯機本体に設けられ入力設定手段と表示手段を有する操作表示パネルと、日付・時刻を計時する時計と、運転の設定内容、設定した日付・時刻などのデータを記憶する記憶手段と、前記入力設定手段の設定に基づいて前記モータを制御する制御手段とを備え、前記制御手段は、あらかじめ設定された特定日に、前記入力設定手段で設定したコースを運転した後に引き続き、前記洗濯槽と前記水槽の洗浄を行うコースの運転、または、前記表示手段に設けられた槽洗浄コースの表示を点滅させて報知するものである。
【００１１】
これによって、効果的に槽洗浄を行ない、槽内の防菌、防カビ効果を発揮することができる。
【００１２】
また、本発明の洗濯乾燥機は、洗濯機本体と、前記洗濯機本体内に揺動自在に防振支持される水槽と、前記水槽内に回転自在に支持され、衣類を収容する洗濯槽と、前記洗濯槽を回転駆動するモータと、空気を加熱する加熱手段と、前記加熱手段で加熱した空気を前記水槽内に供給する送風経路と、前記送風経路に送風する送風ファンと、前記洗濯機本体前部に設けられ入力設定手段と表示手段を有する操作表示パネルと、日付・時刻を計時する時計と、運転の設定内容、設定した日付・時刻などのデータを記憶する記憶手段と、前
記入力設定手段の設定に基づいて前記モータを制御する制御手段とを備え、前記制御手段は、あらかじめ設定された特定日に、前記入力設定手段で設定したコースを運転した後に引き続き、前記洗濯槽と前記水槽の乾燥を行うコースの運転、または、前記表示手段に設けられた槽乾燥コースの表示を点滅させて報知するものである。
【００１３】
これによって、効果的に槽乾燥を行ない、槽内の防菌、防カビ効果を発揮することができる。
【発明の効果】
【００１４】
本発明の洗濯機及び洗濯乾燥機は、定期的に槽洗浄、槽乾燥を行なうことで、槽内の防菌、防カビ効果を発揮することができる。
【図面の簡単な説明】
【００１５】
【図１】本発明の実施の形態１におけるドラム式洗濯乾燥機の縦断面図
【図２】同ドラム式洗濯乾燥機のブロック回路図
【図３】同ドラム式洗濯乾燥機の操作表示パネルの平面図
【図４】同ドラム式洗濯乾燥機のフローチャート
【図５】本発明の実施の形態２におけるドラム式洗濯乾燥機のフローチャート
【図６】本発明の実施の形態３におけるドラム式洗濯乾燥機のフローチャート
【図７】従来の洗濯乾燥機の操作パネルの平面図
【図８】同洗濯乾燥機の槽洗浄コースの行程内容図
【発明を実施するための形態】
【００１６】
第１の発明の洗濯機は、洗濯機本体と、前記洗濯機本体内に揺動自在に防振支持される水槽と、前記水槽内に回転自在に支持され、衣類を収容する洗濯槽と、前記洗濯槽を回転動するモータと、前記洗濯機本体に設けられ入力設定手段と表示手段を有する操作表示パネルと、日付・時刻を計時する時計と、運転の設定内容、設定した日付・時刻などのデータを記憶する記憶手段と、前記入力設定手段の設定に基づいて前記モータを制御する制御手段とを備え、前記制御手段は、あらかじめ設定された特定日に、前記入力設定手段で設定したコースを運転した後に引き続き、前記洗濯槽と前記水槽の洗浄を行う前記槽洗浄コースを運転するか、または、表示手段に設けられた前記槽洗浄コースの表示を点滅させて報知する構成とすることにより、効果的に槽洗浄を行ない、槽内の防菌、防カビ効果を発揮することができる。
【００１７】
第２の発明は、特に、第１の発明の洗濯機において、制御手段は、洗濯槽と水槽の洗浄を行うコースを運転した日付から所定期間が経過している場合には、入力設定手段で設定したコースを運転した後に引き続き、前記洗濯槽と前記水槽の洗浄を行うコースを運転するか、または、表示手段に設けられた槽洗浄コースの表示を点滅させて報知する構成とすることにより、効果的に槽洗浄を行ない、槽内の防菌、防カビ効果を発揮することができる。
【００１８】
第３の発明は、特に、第１または第２の発明の洗濯機において、制御手段は、前記入力設定手段で設定したコースを運転する当日の日付が、洗濯槽と水槽の洗浄を行うコース運転に予め設定した日付の場合には、入力設定手段で設定したコースを運転し
た後に引き続き、前記洗濯槽と前記水槽の洗浄を行う前記槽洗浄コースを運転するか、または、表示手段に設けられた前記槽洗浄コースの表示を点滅させて報知する構成とすることにより、効果的に槽洗浄を行ない、槽内の防菌、防カビ効果を発揮することができる。
【００１９】
第４の発明の洗濯乾燥機は、洗濯機本体と、前記洗濯機本体内に揺動自在に防振支持される水槽と、前記水槽内に回転自在に支持され、衣類を収容する洗濯槽と、前記洗濯槽を回転駆動するモータと、空気を加熱する加熱手段と、前記加熱手段で加熱した空気を前記水槽内に供給する送風経路と、前記送風経路に送風する送風ファンと、前記洗濯機本体前部に設けられ入力設定手段と表示手段を有する操作表示パネルと、日付・時刻を計時する時計と、運転の設定内容、設定した日付・時刻などのデータを記憶する記憶手段と、前記入力設定手段の設定に基づいて前記モータを制御する制御手段とを備え、前記制御手段は、あらかじめ設定された特定日に、前記入力設定手段で設定したコースを運転した後に引き続き、前記洗濯槽と前記水槽の乾燥を行う槽乾燥コースを運転するか、または、前記表示手段に設けられた前記槽乾燥コースの表示を点滅させて報知する構成とすることにより、効果的に槽乾燥を行ない、槽内の防菌、防カビ効果を発揮することができる。
【００２０】
第５の発明は、特に、第４の発明の洗濯乾燥機において、制御手段は、洗濯槽と水槽の乾燥を行うコースを運転した日付から所定期間が経過している場合には、入力設定手段で設定したコースを運転した後に引き続き、前記洗濯槽と前記水槽の管槽を行うコースを運転するか、または、表示手段に設けられた槽乾燥コースの表示を点滅させて報知する構成とすることにより、効果的に槽乾燥を行ない、槽内の防菌、防カビ効果を発揮することができる。
【００２１】
第６の発明は、特に、第４または第５の発明の洗濯乾燥機において、制御手段は、前記入力設定手段で設定したコースを運転する当日の日付が、洗濯槽と水槽の乾燥を行うコース運転に予め設定した日付の場合には、入力設定手段で設定したコースを運転した後に引き続き、前記洗濯槽と前記水槽の乾燥を行う前記槽乾燥コースを運転するか、または、表示手段に設けられた前記槽乾燥コースの表示を点滅させて報知する構成とすることにより、効果的に槽乾燥を行ない、槽内の防菌、防カビ効果を発揮することができる。
【００２２】
以下、発明の実施の形態について、図面を参照しながら説明する。なお、この実施の形態によって本発明が限定されるものではない。
【００２３】
（実施の形態１）
図１は、本発明の第１の実施の形態におけるドラム式洗濯乾燥機の縦断面図、図２は、同ドラム式洗濯乾燥機のブロック回路図、図３は、同ドラム式洗濯乾燥機の操作表示パネルの平面図である。
【００２４】
図１において、洗濯機本体１内には、防振構造を有するサスペンション構造（図示せず）によって水槽２が宙吊り状態に支持されている。水槽２内には、有底円筒形に形成された洗濯槽３が、その回転軸１７方向を正面側から背面側に向けて下向きに傾斜させて支持されている。水槽２の正面側には洗濯槽３の開口端に通じる衣類出入口４が形成され、洗濯機本体１の正面側の上向き傾斜面に設けられた開口部を、開閉自在な扉５を開閉することにより、衣類出入口４を介して洗濯槽３内に対して洗濯物を出し入れすることができる。
【００２５】
洗濯槽３には、その周面に水槽２内に通じる多数の透孔６が形成され、内周面の複数位置に衣類撹拌用の攪拌突起１９が設けられている。洗濯槽３は、水槽２の背面側に取り付けられたモータ７によって、正転及び逆転方向に回転駆動される。また、水槽２には、注水管路８及び排水管路９が配管接続され、給水弁３７（図２参照）及び排水弁３６（図２参照）の制御によって水槽２内への注水及び排水がなされる。
【００２６】
扉５を開き、洗濯槽３内に洗濯物及び洗剤を投入して、洗濯機本体１の前面上部に設けられた操作表示パネル１０による操作によって運転を開始させると、水槽２内には注水管路８から所定量の注水がなされ、モータ７により洗濯槽３が回転駆動されて洗濯行程が開始される。洗濯槽３の回転により、洗濯槽３内に収容された洗濯物は洗濯槽３の内周壁に設けられた攪拌突起１９によって回転方向に持ち上げられ、持ち上げられた適当な高さ位置から落下する攪拌動作が繰り返されるので、洗濯物には叩き洗いの作用が及んで洗濯がなされる。
【００２７】
所要の洗濯時間の後、汚れた洗濯液は排水管路９から排出され、洗濯槽３を高速回転させる脱水動作により洗濯物に含まれた洗濯液を脱水し、その後、水槽２内に注水管路８から注水してすすぎ行程が実施される。このすすぎ行程においても洗濯槽３内に収容された洗濯物は、洗濯槽３の回転により攪拌突起１９により持ち上げられて落下する攪拌動作が繰り返されてすすぎ洗いが実施される。
【００２８】
また、このドラム式洗濯乾燥機には、洗濯槽３内に収容した洗濯物を乾燥する機能が設けられ、循環送風経路１１により、水槽２内の空気を排気して除湿し、加熱して乾燥させた空気を再び水槽２内に送風する。
【００２９】
この循環送風経路１１の途中には、圧縮機、放熱器などの加熱手段、減圧器、蒸発器などの除湿手段を配管で連結したヒートポンプユニット２０、及び送風手段である送風ファン１２が設けられている。
【００３０】
循環送風経路１１を利用した乾燥行程では、循環送風経路１１を循環される空気中に、主として衣類などの洗濯物から発生する糸くずなどの異物が混じって循環し、各部に支障を来し易いので、循環送風経路１１の途中に、循環空気中の異物を除去するフィルタ１３が設けられている。
【００３１】
また、モータ７の背面には、モータ７の回転を検知するための回転検知部１８が設けられており、モータ７の回転数検知を行なうことにより、布量検知制御や洗濯槽３の回転数制御を行なっている。また、洗濯機本体１の前部内面には、ドラム式洗濯乾燥機の動作を制御する制御手段４４（図２参照）を有する制御装置１５が設けられている。
【００３２】
図２において、制御装置１５の制御手段４４は、マイクロコンピュータなどにより構成し、商用電源１６から、電源スイッチ１４のＯＮにより電力が供給されて動作を始め、入力設定手段４５にて使用者の入力により設定された内容に基づいて、表示手段４６に設定内容を表示するとともに、双方向サイリスタ、リレーなどで構成した負荷駆動手段４７を介して、モータ７、給水弁３７、排水弁３６、ヒートポンプユニット２０などの動作を制御し、洗い、すすぎ、脱水、乾燥の各行程を制御する。また、入力設定手段４５と表示手段４６とで、操作表示パネル１０を構成している。
【００３３】
時計ＩＣ４２は、電源入り時に、制御手段４４に日付・時刻情報を送信するものであり、入力設定手段４５で設定した日付・時刻情報を、制御手段４４を介して再度時計ＩＣに上書きすることは可能である。また、制御基板（図示せず）上に電池が内蔵されており、
電源切断後も日付・時刻情報を保持し、自動更新するものである。なお、日付・時刻情報の初期設定は、工場出荷時に製造日付・時刻を設定しておいても良い。
【００３４】
記憶手段３９は、制御手段４４により制御に必要なデータおよび日付・時刻情報を記憶する書き込み自由な不揮発性メモリー等で構成される。
【００３５】
報知手段４８は、ブザーなどの発音装置や、表示装置により構成され、入力設定手段４５を操作した時の受付音や運転終了時の終了音を報知したり、異常時の報知などを行なったりして、使用者に知らせるものである。
【００３６】
図３において、操作表示パネル１０の入力設定手段４５は、洗い時間を設定する洗い時間設定スイッチ４５ａ、すすぎ回数を設定するすすぎ回数設定スイッチ４５ｂ、脱水時間を設定する脱水時間設定スイッチ４５ｃ、スタート／一時停止スイッチ４５ｅ、時刻を設定する時計スイッチ４５ｈ、時刻の時間を調節する時スイッチ４５ｆ、時刻の分を調節する分スイッチ４５ｇ、標準コース、槽洗浄コース、槽乾燥コースなどの種々のコースを選択できるコース設定スイッチ４５ｄ等が設けられている。なお、例えば、二つのスイッチを同時に押して設定するなど特定の操作をすることにより、日付（○月○日）を設定する構成とすることもできる。
【００３７】
ここで、槽洗浄コースとは、洗濯槽３内に洗濯物を入れない状態で給水して、槽を洗うコースであり、槽乾燥コースとは、洗濯槽３内に洗濯物を入れない状態で、ヒートポンプユニット２０、送風ファン１２などを駆動させて、循環送風経路１１により温風を槽内に送風して、槽内を乾燥させるコースである。なお、ふたつのコースは単独運転するよう設定でき、槽洗浄コースと槽乾燥コースの連続運転するよう設定することもできる。
【００３８】
また、表示手段４６は、洗い時間表示部４６ａ、すすぎ回数表示部４６ｂ、脱水時間表示部４６ｃ、時計表示部４６ｄ、コース設定表示部４６ｅ等を有している。
【００３９】
以上のように構成されたドラム式洗濯乾燥機について、以下、その動作、作用を説明する。
【００４０】
図４は、本発明の第１の実施の形態におけるドラム式洗濯乾燥機の動作を説明するフローチャートである。
【００４１】
図４において、電源スイッチ１４のＯＮにより電源が投入され、スタート／一時停止スイッチ４５ｅが押されて運転を開始すると、制御手段４４は、時計機能の日付・時刻情報を、つまり、当日の日付・時刻である○月○日、○時○分かの情報を、記憶手段３９から読み出す（ステップＳ１）。
【００４２】
使用者が入力設定手段４５のコース設定スイッチ４５ｄにより運転コースを選択し（ステップＳ２）、選択された運転コースが槽洗浄、槽乾燥コースであれば（ステップＳ３のＹｅｓ）、槽洗浄、槽乾燥コースを運転（ステップＳ４）して、コースを終了する。
【００４３】
選択した運転コースが槽洗浄、槽乾燥コースでなければ（ステップＳ３のＮｏ）、制御手段４４は、ステップＳ１で読み出された日付・時刻情報が、あらかじめ決められた特定日である日付・時刻、例えば、特定日として設定した毎月月初めの一日であるか否か、または、特定日に槽洗浄、槽乾燥コースが運転されていない状態で、特定日を過ぎているか否かを判定し（ステップＳ５）、否と判定した場合には（ステップＳ５のＮｏ）、ステップ２において選択されたコースを運転（ステップＳ６）して、コースを終了する。
【００４４】
読みだされた日付・時刻情報が、特定日か、または特定日に槽洗浄、槽乾燥コースが運転されていない状態で、特定日を過ぎていれば（ステップＳ５のＹｅｓ）、ステップＳ２で選択コースを運転し（ステップＳ７）、運転が終了すると（ステップＳ８）、引き続き自動的に槽洗浄、槽乾燥コースを運転する（ステップＳ９）。
【００４５】
なお、特定日、または特定日に槽洗浄、槽乾燥コースが運転されていない状態で、特定日を過ぎている場合には、運転コース選択時に表示手段４６のコース設定スイッチ４５ｄにて、例えば槽洗浄コース、槽乾燥コースの表示を点滅させて、使用者に槽洗浄、槽乾燥のタイミングが来ていることを知らしめる構成にしても良い。
【００４６】
以上のように、本実施の形態１においては、運転当日の日日があらかじめ設定された特定日か、特定日に槽洗浄、槽乾燥コースが運転されていない状態で、特定日を過ぎている場合には、入力設定手段４５で設定したコースを運転した後に、自動的に洗濯槽３と水槽２の洗浄、乾燥を行うコースを運転するか、または、表示手段４６に設けられた槽洗浄コース、槽乾燥コースの表示を点滅させて報知する構成とすることにより、効率的に槽洗浄、槽乾燥を行ない、槽内の防菌、防カビ効果を発揮することができる。
【００４７】
なお、本実施の形態１では、特定日を毎月１回設定しているが、数ヶ月に１回に設定してもよく、また、１ヶ月に複数回設定してもよい。
【００４８】
また、槽洗浄、槽乾燥を連続して実行するコースを行う構成としているが、どちらか一方のみを行う構成としてもよく、例えば、槽洗浄のみを実行する場合と、槽洗浄、槽乾燥を連続して実行する場合とを交互に、あるいは数回おきに行うようにしてもよい。
【００４９】
（実施の形態２）
図５は、本発明の第２の実施の形態におけるドラム式洗濯乾燥機の動作を説明するフローチャートである。なお、フローチャート以外については、実施の形態１と同じ構成であり、同一構成部品については同一符号を付して詳細な説明を省略する。
【００５０】
図５において、電源スイッチ１４のＯＮにより電源が投入され、スタート／一時停止スイッチ４５ｅが操作されてスタートすると、制御手段４４は、前回、槽洗浄コース・槽乾燥コースを行った日付・時刻情報を、記憶手段３９から読み出す（ステップＳ１１）。
【００５１】
使用者が入力設定手段４５のコース設定スイッチ４５ｄによって運転コースを選択し（ステップＳ１２）、洗濯した運転コースが槽洗浄、槽乾燥コースであれば（ステップＳ１３のＹｅｓ）、槽洗浄、槽乾燥コースを実行し（ステップＳ１４）、コースを終了する。
【００５２】
ステップＳ１２において使用者が選択した運転コースが槽洗浄、槽乾燥コースでなければ（ステップＳ１３のＮｏ）、制御手段４４は、ステップＳ１１で読み出された、前回に槽洗浄、槽乾燥コースを行なった日付・時刻情報があらかじめ決められた所定期間（例えば、一ヶ月間）と同じか否か、あるいは所定期間を過ぎているか否かを判定し（ステップＳ１５）、否であれば（ステップＳ１５のＮｏ）、選択されたコースを運転（ステップＳ１６）して、コースを終了する。
【００５３】
読みだされた日付・時刻情報が、前回に槽洗浄、槽乾燥コースを行なった日付から経過した期間が所定期間であれば、または槽洗浄、槽乾燥コースを実行しない状態で所定期間を過ぎていれば（ステップＳ１５のＹｅｓ）、ステップＳ１２において選択された選択コースを運転して（ステップＳ１７）、運転を終了し（ステップＳ１８）、引き続き自動的にステップＳ１９において槽洗浄、槽乾燥コースを運転する。
【００５４】
なお、前回に槽洗浄、槽乾燥コースを行なった日付から経過した期間が所定期間と同じであれば、または槽洗浄、槽乾燥コースを実行しない状態で所定期間を過ぎている場合には、運転コース選択時に表示手段４６のコース設定スイッチ４５ｄにて、例えば槽洗浄コース、槽乾燥コースの表示を点滅させて、使用者に槽洗浄、槽乾燥のタイミングが来ていることを知らしめても良い。
【００５５】
以上のように、本実施の形態２においては、洗濯槽３と水槽２の洗浄、乾燥を行うコースを運転した日付から運転当日までの期間が、所定期間と同じか、槽洗浄、槽乾燥コースを実行しない状態で所定期間を過ぎている場合には、入力設定手段４５で設定したコースを運転した後に、自動的に洗濯槽３と２水槽の洗浄、乾燥を行うコースを運転するか、または、表示手段４６に設けられた槽洗浄コース、槽乾燥コースの表示を点滅させて報知する構成とすることにより、効率的に槽洗浄、槽乾燥を行ない、槽内の防菌、防カビ効果を発揮することができる。
【００５６】
（実施の形態３）
図６は、本発明の実施の形態３におけるドラム式洗濯乾燥機の動作を説明するフローチャートである。なお、フローチャート以外については、実施の形態１と同じ構成であり、同一構成部品については同一符号を付して詳細な説明を省略する。
【００５７】
図６において、電源スイッチ１４のＯＮにより電源が投入され、スタート／一時停止スイッチ４５ｅが操作されて運転をスタートすると、制御手段４４は、使用者が槽洗浄コース・槽乾燥コースの実行を設定した特定日である日付・時刻情報を、記憶手段３９から読み出す（ステップＳ２１）。
【００５８】
使用者が入力設定手段４５のコース設定スイッチ４５ｄで運転コースを選択し（ステップＳ２２）、選択した運転コースが槽洗浄、槽乾燥コースであれば（ステップＳ２３のＹｅｓ）、槽洗浄、槽乾燥コースを運転（ステップＳ２４）して、コースを終了する。
【００５９】
ステップＳ２２において選択された運転コースが槽洗浄、槽乾燥コースでなければ（ステップＳ２３のＮｏ）、制御手段４４は、ステップＳ２１で読み出された、槽洗浄コース・槽乾燥コースを運転する特定日と同じか否か、または槽洗浄コース・槽乾燥コースを実行しない状態で特定日を過ぎているか否かを判定し（ステップＳ２５）、否であれば（ステップＳ２５のＮｏ）、選択されたコースを運転（ステップＳ２６）し、コースを終了する。
【００６０】
読みだされた日付・時刻情報が、特定日であるか、または槽洗浄コース・槽乾燥コースを実行しない状態で特定日を過ぎていれば（ステップＳ２５のＹｅｓ）、ステップＳ２２で選択されたコースを運転し（ステップＳ２７）、運転を終了すると（ステップＳ２８）、引き続き自動的に槽洗浄、槽乾燥コースを運転する（ステップＳ２９）。
【００６１】
なお、当日が槽洗浄、槽乾燥コースを行なうと設定した特定日か、または槽洗浄コース・槽乾燥コースを実行しない状態で特定日を過ぎている場合には、運転コース選択時に、表示手段４６のコース設定スイッチ４５ｄにて、例えば槽洗浄コース、槽乾燥コースの表示を点滅させて、使用者に槽洗浄、槽乾燥のタイミングが来ていることを知らしめる構成としても良い。
【００６２】
以上のように、本実施の形態３においては、運転当日が、洗濯槽３と水槽２の洗浄、乾燥を行うコース運転に指定した特定日と同じか、または、槽洗浄コース・槽乾燥コースを実行しない状態で特定日を過ぎている場合には、入力設定手段４５で設定したコースを運転した後に、自動的に洗濯槽３と２水槽の洗浄、乾燥を行うコースを運転するか、または
、表示手段４６に設けられた槽洗浄コース、槽乾燥コースの表示を点滅させて報知する構成とすることにより、効率的に槽洗浄、槽乾燥を行ない、槽内の防菌、防カビ効果を発揮することができる。
【産業上の利用可能性】
【００６３】
以上のように、本発明の洗濯機及び洗濯乾燥機は、時計機能を利用し、槽内を洗浄し乾燥する機能を定期的に運転する、または表示することで、槽内の黒カビを取り除く、または予防すること可能となるので、縦型など他の洗濯機の用途に適用できる。
【符号の説明】
【００６４】
１  洗濯機本体
２  水槽
３  洗濯槽
７  モータ
１０  操作表示パネル
１１  循環送風経路
１２  送風ファン
２０  ヒートポンプユニット
３９  記憶手段
４２  時計ＩＣ
４４  制御手段
４５  入力設定手段
４６  表示手段
【図１】
0006295436.tif 000002
【図２】
0006295436.tif 000003
【図３】
0006295436.tif 000004
【図４】
0006295436.tif 000005
【図５】
0006295436.tif 000006
【図６】
0006295436.tif 000007
【図７】
0006295436.tif 000008
【図８】
0006295436.tif 000009